(57)【要約】  車両の盗難を検出するための装置および方法が開示される。一実施形態では、プロセッサは、車両検出器から車両検出信号を受信し、車両が存在するか否かを車両検出信号に基づいて判別し、車両が存在すると判別された後に認証情報を確定し、認可された駐車を示すために認証情報を有効にするための命令を実行するように構成されていてもよい。車両が存在していないと判別され、また車両を発進させるための認証情報が認可されていない場合には、適正な認証を有さずに車両が移動または発進したことを示すために、適切な担当員に通知アクションが送信されてもよい。
2013541455.tif 000002
【特許請求の範囲】
【請求項１】
車両検出器から車両検出信号を受信し、車両が存在するか否かを前記車両検出信号に基づいて判別し、前記車両が存在すると判別された後に認証情報を確定し、認可された駐車を示すために前記認証情報を有効にし、前記車両を発進させるための前記認証情報が認可されておらず、また前記車両が存在していないと判別された場合に通知アクションを送信するための命令を実行するように構成されたプロセッサと、
前記命令を記憶するように構成されたメモリと
を備える、車両の盗難を検出するための装置。
【請求項２】
前記車両検出信号がパッシブ車両検出器から受信される、請求項1に記載の装置。
【請求項３】
前記パッシブ車両検出器が、重さ検出器、金属検出器、ビデオカメラ、またはレーダー検出器の少なくとも1つを含む、請求項2に記載の装置。
【請求項４】
前記車両検出信号がアクティブ車両検出器から受信される、請求項1に記載の装置。
【請求項５】
前記アクティブ車両検出器がRFIDのトークンである、請求項4に記載の装置。
【請求項６】
前記アクティブ車両検出器が近距離相互通信システムである、請求項4に記載の装置。
【請求項７】
前記認証情報が、クレジットカード、または、前記プロセッサによって生成されたランダムPINの少なくとも一方を含む、請求項1に記載の装置。
【請求項８】
前記認証情報がモバイルデバイスとの同期を含む、請求項1に記載の装置。
【請求項９】
前記通知アクションを送信することが、前記認証情報が正しくないことを車両ユーザに通知することを含む、請求項1に記載の装置。
【請求項１０】
前記通知アクションを送信することが、駐車場係員、警察当局、またはゲートの少なくとも1つに通知することを含む、請求項1に記載の装置。
【請求項１１】
前記認証情報が、車両ユーザ、プロセッサの少なくとも一方によって、または、前記プロセッサと前記車両ユーザとによって相互に確定される、請求項1に記載の装置。
【請求項１２】
車両検出器から車両検出信号を受信するステップと、
車両が存在するか否かを前記車両検出信号に基づいて判別するステップと、
前記車両が存在すると判別された後に認証情報を確定するステップと、
認可された駐車を示すために前記認証情報を有効にするステップと、
前記車両を発進させるための前記認証情報が認可されておらず、また前記車両が存在していないと判別された場合に通知アクションを送信するステップと
を含む、車両の盗難を検出するための方法。
【請求項１３】
前記車両検出信号がパッシブ車両検出器から受信される、請求項12に記載の方法。
【請求項１４】
前記パッシブ車両検出器が、重さ検出器、金属検出器、ビデオカメラ、またはレーダー検出器の少なくとも1つを含む、請求項13に記載の方法。
【請求項１５】
前記車両検出信号がアクティブ車両検出器から受信される、請求項12に記載の方法。
【請求項１６】
前記アクティブ車両検出器がRFIDのトークンである、請求項15に記載の方法。
【請求項１７】
前記アクティブ車両検出器が近距離相互通信システムである、請求項15に記載の方法。
【請求項１８】
前記認証情報が、クレジットカードまたはランダムPINの少なくとも一方を含む、請求項12に記載の方法。
【請求項１９】
前記認証情報がモバイルデバイスとの同期を含む、請求項12に記載の方法。
【請求項２０】
前記通知アクションを送信するステップが、前記認証情報が正しくないことを車両ユーザに通知するステップを含む、請求項12に記載の方法。
【請求項２１】
前記通知アクションを送信するステップが、駐車場係員、警察当局、またはゲートの少なくとも1つに通知するステップを含む、請求項12に記載の方法。
【請求項２２】
車両検出器から車両検出信号を受信するための手段と、
車両が存在するか否かを前記車両検出信号に基づいて判別するための手段と、
前記車両が存在すると判別された後に認証情報を確定するための手段と、
認可された駐車を示すために前記認証情報を有効にするための手段と、
前記車両を発進させるための前記認証情報が認可されておらず、また前記車両が存在していないと判別された場合に通知アクションを送信するための手段と
を含む、車両の盗難を検出するための装置。
【請求項２３】
前記車両検出信号がパッシブ車両検出器から受信される、請求項22に記載の装置。
【請求項２４】
前記パッシブ車両検出器が、重さ検出器、金属検出器、ビデオカメラ、またはレーダー検出器の少なくとも1つを含む、請求項23に記載の装置。
【請求項２５】
前記車両検出信号がアクティブ車両検出器から受信される、請求項22に記載の装置。
【請求項２６】
前記アクティブ車両検出器がRFIDのトークンである、請求項25に記載の装置。
【請求項２７】
前記アクティブ車両検出器が近距離相互通信システムである、請求項25に記載の装置。
【請求項２８】
前記認証情報が、クレジットカードまたはランダムPINの少なくとも一方を含む、請求項22に記載の装置。
【請求項２９】
前記認証情報がモバイルデバイスとの同期のための手段をさらに備える、請求項22に記載の装置。
【請求項３０】
前記通知アクションを送信することが、前記認証情報が正しくないことを車両ユーザに通知するための手段をさらに備える、請求項22に記載の装置。
【請求項３１】
前記通知アクションを送信することが、駐車場係員、警察当局、またはゲートの少なくとも1つに通知するための手段をさらに備える、請求項22に記載の装置。
【請求項３２】
前記認証情報が、車両ユーザ、前記認証情報を確定するための手段の少なくとも一方によって、または、前記認証情報を確定するための手段と前記車両ユーザとによって相互に確定される、請求項22に記載の装置。
【請求項３３】
車両検出器から車両検出信号を受信し、車両が存在するか否かを前記車両検出信号に基づいて判別し、前記車両が存在すると判別された後に認証情報を確定し、認可された駐車を示すために前記認証情報を有効にし、前記車両を発進させるための前記認証情報が認可されておらず、また前記車両が存在していないと判別された場合に通知アクションを送信するためのコンピュータにより実行可能なコードを含むコンピュータプログラム。
【請求項３４】
前記車両検出信号がパッシブ車両検出器から受信される、請求項33に記載のコンピュータプログラム。
【請求項３５】
前記パッシブ車両検出器が、重さ検出器、金属検出器、ビデオカメラ、またはレーダー検出器の少なくとも1つを含む、請求項34に記載のコンピュータプログラム。
【請求項３６】
前記車両検出信号がアクティブ車両検出器から受信される、請求項33に記載のコンピュータプログラム。
【請求項３７】
前記アクティブ車両検出器がRFIDのトークンである、請求項36に記載のコンピュータプログラム。
【請求項３８】
前記アクティブ車両検出器が近距離相互通信システムである、請求項36に記載のコンピュータプログラム。
【請求項３９】
前記認証情報が、クレジットカードまたはランダムPINの少なくとも一方を含む、請求項33に記載のコンピュータプログラム。
【請求項４０】
前記認証情報がモバイルデバイスとの同期のためのコードをさらに含む、請求項33に記載のコンピュータプログラム。
【請求項４１】
前記通知アクションを送信することが、前記認証情報が正しくないことを車両ユーザに通知するためのコードをさらに含む、請求項33に記載のコンピュータプログラム。
【請求項４２】
前記通知アクションを送信することが、駐車場係員、警察当局、またはゲートの少なくとも1つに通知するためのコードをさらに含む、請求項33に記載のコンピュータプログラム。
【発明の詳細な説明】
【技術分野】
【０００１】
本発明は、概して車両の盗難を検出するための装置および方法に関する。
【背景技術】
【０００２】
モール、パーク、シアターなどの一般大衆向けの駐車エリア、ならびに、企業および政府のビルなどの特定の個人向けの駐車エリアでは、車両の盗難に関連する危険性がある。さらに、(車両ユーザが駐車を認可されていないか、または、車両ユーザが駐車の料金を適正に支払っていないなどの)個人の駐車に関連するセキュリティの問題がある。
【０００３】
駐車場で駐車するために車両ユーザの認証を行なうための、または、車両が盗まれているかどうかを判別するための様々な試みが過去に行なわれてきたが、以前の試みでは、車両が駐車される場合と車両が発進する場合に車両ユーザを適正に認証することと、車両が発進し、車両ユーザが十分に認証されていない場合に適切な担当員に適正に通知することとの両方が十分に組み合わせられていない。
【発明の概要】
【発明が解決しようとする課題】
【０００４】
したがって、車両を駐車および発進させる間に車両ユーザを適正に認証することと、車両ユーザの適正な認証なしに車両が発進する場合に適切な担当員に適正に通知することとの両方に対する技術が必要である。
【課題を解決するための手段】
【０００５】
本発明における実施形態は、車両の盗難を検出するための装置および方法に関し得る。一実施形態では、プロセッサは、車両検出器から車両検出信号を受信し、車両が存在するか否かを車両検出信号に基づいて判別し、車両が駐車されていると判別された後に認証情報を確定し、認可された駐車を示すために認証情報を有効にするための命令を実行するように構成されていてもよい。車両が存在していないと判別され、また車両を発進させるための認証情報が認可されていない場合には、適正な認証を有さずに車両が移動したことを示すために、適切な担当員に通知アクションが送信されてもよい。
【０００６】
一実施形態では、コンピュータプログラム製品は、車両検出器から車両検出信号を受信し、車両が存在するか否かを車両検出信号に基づいて判別し、車両が駐車されていると判別された後に認証情報を確定し、認可された駐車を示すために認証情報を有効にするためのコードを含むコンピュータ可読媒体を含む。車両が存在していないと判別され、また車両を発進させるための認証情報が認可されていない場合には、適正な認証を有さずに車両が移動したことを示すために、適切な担当員に通知アクションが送信されてもよい。
【図面の簡単な説明】
【０００７】
【図１】ヒッチポスト装置(hitch post apparatus)と駐車場を示すシステムのブロック図である。
【図２】コンピュータを含み得るヒッチポスト装置を示すブロック図である。
【図３】特定の種類の認証情報(authentication credential)を受信するヒッチポストを示すブロック図である。
【図４】車両の盗難を検出するためのプロセスを示す流れ図である。
【発明を実施するための形態】
【０００８】
「例示的」という語は、「例、実例、または具体例としての役割を果たすこと」を意味するように本明細書において用いられている。「例示的」または「例」として本明細書で説明される任意の実施形態は、他の実施形態に比べて好ましいか、または有利であると必ずしも解釈されるべきではない。
【０００９】
図1を参照すると、図1は、本発明における実施形態が実施され得るシステム100のブロック図となっている。システム100は、特に、車両の盗難を検出するために利用されてもよいヒッチポストなどの装置110を示している。図1に示されているように、車両ユーザ102は、駐車場の駐車スペース106Aに車両104を駐車することができる。駐車場には複数の異なる駐車スペース106A〜106Nがあってもよいことを理解されたい。また、1つだけのヒッチポスト110が図示されているが、適切な数のヒッチポストが利用されてもよいことを理解されたい。
【００１０】
一実施形態では、車両104が存在する場合、車両検出器120は、車両が存在することを検出し、車両検出信号をヒッチポスト110に送信することができる。ヒッチポスト110は、車両検出信号の受信に基づき、車両104が存在するか否かを判別することができる。さらに、ヒッチポスト110は、表示および車両ユーザ102との通信のために、表示デバイス112と、キーボードなどのユーザ入力デバイス114とを含むことができる。
【００１１】
また図2を参照すると、ヒッチポスト装置110は、プロセッサ210およびメモリ220を含むコンピュータ200を含み得る。さらに、ヒッチポスト110におけるコンピュータ200は、表示デバイス112とキーボード114に接続されていてもよい。さらに、ヒッチポスト110におけるコンピュータ200は、説明されるように、車両検出信号、通知アクション(notification action)、ならびに、車両ユーザおよび他のコンピュータおよび個人とのワイヤレス通信情報などの(有線および/または無線の)信号221を送信および受信する。
【００１２】
このように、一実施形態では、ヒッチポスト110は、車両検出器120からの車両検出信号221を受信し、車両104が存在するか否かを車両検出信号221に基づいて判別し、車両ユーザ102に対する車両104の駐車が適正に認可されるかどうか示す認証情報を有効にするための命令を実行するように構成されたプロセッサ210を有するコンピュータ200を含み得る。さらに、説明されるように、プロセッサ210は、車両104を発進させるための認証情報が認可されておらず、また車両104が存在しないと判別される場合には通知アクションを送信することができる。また、メモリ220は、これらおよび他の機能を遂行するために、これらおよび他の命令を記憶するように構成されていてもよい。
【００１３】
以降で説明されるように、本発明の実施形態は、ヒッチポスト110におけるプロセッサ210、および/または、ヒッチポスト110における他の回路、および/または、他のデバイスによる命令の実行とともに実施されてもよいことを理解されたい。特に、限定されないがプロセッサ210を含むヒッチポスト110における回路は、プログラム、ルーチンの制御のもとで、または、本発明の実施形態による方法もしくはプロセスを実行するための命令の実行のもとで動作し得る。たとえば、このようなプログラムは、ファームウェアまたは(たとえば、メモリ220もしくは他の場所に記憶されている)ソフトウェアで実施されてもよく、また、プロセッサ210などのプロセッサ、および/または、ヒッチポスト110における他の回路によって実施されてもよい。さらに、プロセッサ、マイクロプロセッサ、回路、コントローラなどの用語は、任意の種類のロジック、または、ロジック、コマンド、命令、ソフトウェア、ファームウェア、機能などを実行することができる回路を指すことを理解されたい。
【００１４】
一実施形態では、車両104が存在する場合、ヒッチポスト110は、車両検出器120からの車両検出信号を受信する。ヒッチポスト110は、車両検出信号の受信または非受信に基づき、車両が存在するか否かを判別する。
【００１５】
車両104が存在する場合、車両ユーザ102は、たとえばキーボード114などのユーザインターフェースを通じて認証情報をヒッチポスト110に入力することができる。しかし、説明されるように、車両ユーザ102に関する認証情報を伝えるための他の方法または手段と、ヒッチポスト110とが利用されてもよい。たとえば、認証情報は、車両ユーザ、プロセッサ210の少なくとも一方によって確定されてもよく、または、プロセッサ210と車両ユーザ102とによって相互に確定されてもよい。次に、ヒッチポスト110は、車両104の駐車が認可されるように認証情報が有効であるかどうかを判別することができる。
【００１６】
しかし、認証情報が認可されない場合には、ヒッチポスト110は、車両104の駐車が認可されないことを示す通知アクションを送信することができる。この通知アクションは、説明されるように、駐車場係員、警察当局、またはゲートに送られてもよい。
【００１７】
さらに、ヒッチポスト110に車両検出信号を送る(または、送らない)車両検出器120によって車両が存在しないと判別され、また、車両104が存在せず、車両を発進させるための認証情報が認可されてないことをヒッチポスト110が判別する場合には、ヒッチポストは、説明されるように、駐車場係員、警察当局、またはゲートに通知アクションを送信することができる。
【００１８】
ヒッチポスト110に送信するための車両検出信号を生成するために様々な種類の車両検出器120が利用されてもよい。一実施形態では、車両検出器120は、パッシブ車両検出器でもよい。利用され得るパッシブ車両検出器の例には、重さ検出器、金属検出器、ビデオカメラ、またはレーダー検出器が含まれる。
【００１９】
別の実施形態では、車両検出器120は、アクティブ車両検出器でもよい。たとえば、アクティブ車両検出器120は、車両104またはユーザ102とともに用いられる無線識別(RFID)のトークンでもよい。さらに、アクティブ車両検出器120は、車両104またはユーザ102とともに用いられる近距離相互通信システム(near field mutual communication system)でもよい。
【００２０】
これらの例では、パッシブ車両検出器への参照は、車両検出信号の生成に車両(たとえば、車)が関与していないことを示し(すなわち、パッシブ)、一方、アクティブ車両検出器の場合には、車両自体が車両検出信号の生成に関与している(すなわち、関与している)。これらは、パッシブ、アクティブ等でもよい様々な種類の車両検出器の例にすぎず、車両検出信号を生成するために非常に様々な種類の検出器が利用されてもよいことを、当業者は理解するはずである。さらに、車両の例として車が示されているが、トラック、バン、オートバイ、自転車、ボート、飛行機、ヘリコプター、または、任意の種類の移動可能な車両などの様々な車両が利用されてもよいことを理解されたい。
【００２１】
また図3を参照すると、特定の種類の認証情報をヒッチポスト110が受信することができるシステム300をさらに示すブロック図が示されている。ヒッチポスト110は、車両104が存在すると判別された後に認証情報を確定することができ、また認可された駐車を示すために認証情報を有効にすることができる。さらに、ヒッチポスト110は、移動または発進する車両の認証情報が認可されていない場合には、駐車場係員332、警察当局334、またはゲート336に通知アクション330を送信することができる。図3は、利用され得るいくつかの特定の種類の認証情報を示す。また、図3は、車両検出器120が前述の種類のパッシブ車両検出器322またはアクティブ車両検出器324のいずれかを利用可能であることを示している。
【００２２】
非常に様々な種類の認証情報が車両ユーザ102とヒッチポスト110との間で利用されてもよい。たとえば、一実施形態では、認証情報は、ヒッチポスト110によって生成され、車両ユーザ102と共有されるランダムPIN312でもよい。例として、ヒッチポスト110は、ランダムPIN312を生成し、そのランダムPIN312を表示デバイス112に表示することができる。さらに、ヒッチポスト110は、ランダムPINを車両ユーザ102のためにプリントアウトすることができる。この実施形態では、車両ユーザ102が自身の車両104を発進させるために戻ると、その車両ユーザ102は、自身が車両ユーザであることを認証するために、あらかじめ生成されたランダムPINを、キーボード114を介して、または表示デバイス112自体に入力することができる。このようにして、車両ユーザ102は、認証され、通知アクションが送られることなく車両を発進させることができる。さらに、車両ユーザは、ヒッチポスト110によって料金を請求されてもよい。
【００２３】
一実施形態では、認証情報は、クレジットカードまたはデビットカード314でもよい。この実施形態では、車両ユーザ102は、自身の車両104を駐車した後、クレジットカード314を認証情報としてヒッチポスト110に提供することができる。たとえば、車両ユーザ102は、クレジットカード314をヒッチポスト110に挿入するか、または、クレジットカード番号をヒッチポスト110のキーボード114に打ち込むことができる。
【００２４】
したがって、車両104を発進させるために車両ユーザ102が戻ると、ヒッチポスト110は、認証情報としてクレジットカード314を有効にし、次に車両104は、通知アクション330が送られることなく有効に移動または発進し得る。さらに、ヒッチポスト110は、クレジットカード314を駐車料金用に利用してもよい。
【００２５】
別の実施形態では、認証情報は、モバイルデバイス317(たとえば、携帯電話)または別のデバイスに関連する同期信号316を含んでもよい。非常に様々な技術を用いて他の種類の同期信号が送信および受信されてもよく、また他の種類の同期信号が非常に様々な種類のモバイルデバイスとともに用いられてもよいことを理解されたい。たとえば、同期信号316は、モバイルデバイス317のシリアルID、またはブルートゥース(Bluetooth(登録商標))デバイスのIDに関連していてもよい。携帯電話、スマートフォン、スマートカード、モバイルコンピュータ、PDA、特定のモバイルパーキングデバイス(mobile parking device)等である任意の種類のモバイルデバイスが利用されてもよいことを理解されたい。
【００２６】
この実施形態では、車両ユーザ102が自身の車両104を駐車した後、ヒッチポスト110は、モバイルデバイス317から同期信号316を受信し、認可された駐車を示すために同期信号を有効にするかどうかを判別する。さらに、車両ユーザ102が自身の車両104を発進させるために戻ると、ヒッチポスト110は、モバイルデバイス317からの同期信号316が認証されるかどうかと、車両104を発進または移動させることを車両ユーザ102が許可されるべきかどうかとを判別する。同期信号316が認可されておらず、また車両が存在しないと判別される場合には、駐車場係員332、警察当局334、またはゲート336に通知アクション330が送られてもよい。したがって、前述の通り、認証情報は、対称的(たとえば、ヒッチポストと車両ユーザのやりとりを含む)でもよく、または非対称的(たとえば、ヒッチポストと車両ユーザのやりとりを含まない)でもよい。
【００２７】
車両ユーザ102は、認証情報が正しくないことを、ヒッチポスト110からの音声による言葉もしくは音(たとえば、アラーム)によって、または、ヒッチポスト110の表示デバイス112における視覚メッセージによって、または、電話、ショートメッセージサービス(SMS)、車両ユーザ102のモバイルデバイス317へのテキストメッセージ等によって通知されてもよいことを理解されたい。
【００２８】
したがって、前述の通り、車両ユーザ102が車両104を移動または発進させ、それによって車両104が存在していないことを示す車両検出信号をヒッチポスト110がパッシブ車両検出器322および/またはアクティブ車両検出器324から受信し、またヒッチポスト110が認証情報(たとえば、ランダムPIN312、クレジットカード314、モバイルデバイス317からの同期信号316など)を有効にしていない場合には、通知アクション330が行なわれてもよい。一実施形態では、そのような通知アクションは、認証情報が正しくないことを、音声伝達もしくは視覚伝達などによって、または、車両ユーザのモバイルデバイス317への通信によって、車両ユーザ102に単に通知することを含み得る。
【００２９】
一方、通知アクション330は、車両の盗難の可能性に関する信号を、駐車場係員332、警察当局334、またはゲート336に送信することを含み得る。たとえば、駐車場係員332または警察当局334は、そのような車両の盗難を潜在的に防止するために、車両104が盗まれている可能性のあることを通知されてもよい。さらに、ゲート336は、車両が盗まれていないことを警察当局334または駐車場係員332が確認するまで、車両104が出られないように閉められてロックされてもよい。
【００３０】
このように、ヒッチポスト110を車両検出器120とともに利用し、駐車場係員332、警察当局334、およびゲート336と組み合わせることによって、駐車場からの車両の盗難は、有意に防止され、また著しく減少し得る。
【００３１】
ヒッチポスト110は、設計事項に応じて、1つの特定の駐車スペース106Aもしくは複数の駐車スペース106A〜106N用のパーキングメータまたは私用車両ポート(private vehicle port)として実施されてもよいことを理解されたい。また、いくつかの実施形態では、ヒッチポスト110は、家庭用車両ポート(home vehicle port)、または、個人の家庭もしくはガレージ用のホームコンピュータとして実施されてもよい。この実例では、通知アクションは、家庭の自動車の盗難の可能性があるという通知アクションを警察当局に送信することによって実施されてもよい。
【００３２】
図4を参照すると、車両の盗難を検出するためのプロセス400を示すための流れ図が示されている。ブロック410では、ヒッチポストにおいて車両検出信号が受信される。判別ブロック415では、車両が存在するか否かが判別される。車両が存在しない場合には、プロセス400は終了する(ブロック420)。車両が存在する場合、ヒッチポストは認証情報を確定する(ブロック425)。次に、ヒッチポストは認証情報を有効にする(ブロック430)。
【００３３】
以降では、ヒッチポストは、車両を発進させるための受信された認証情報が有効であるかどうかを判別する(判別ブロック435)。有効である場合、車両ユーザは、通知アクションが送信されることなく車両を移動または発進させることができる(ブロック440)。しかし、発進させるための認証情報が無効である場合には、プロセスは繰り返される。車両が駐車されたままである場合(判別ブロック445)、車両ユーザは、認証情報を有効にするための試みを再度行なうことができる。たとえば、ランダムPINコードが再度タイプされる。
【００３４】
しかし、車両が移動または発進する場合(たとえば、車両が現在存在していないことを車両検出器が判別する場合)(判別ブロック445)、ブロック450において通知アクションが行なわれる(ブロック450)。たとえば、前述の通り、駐車場係員、警察当局、またはゲートに通知アクションが送られてもよい。プロセス400における方法ステップは、前述の順番で実施される必要はなく、任意の好適な順番で進んでもよいことを理解されたい。
【００３５】
ヒッチポスト110などのワイヤレスデバイス、コンピュータ200、モバイルデバイス317、または、他の可能なモバイルデバイスもしくは前述のモバイルコンピュータは、ワイヤレスデバイスによって送信され、またはワイヤレスデバイスで受信される信号に基づいて機能を実行する様々なコンポーネントを含むことができる。たとえば、ワイヤレスヘッドセットは、受信機を介して受信される信号に基づいて音声出力を提供するように適合したトランスデューサを含むことができる。ワイヤレス時計は、受信機を介して受信された信号に基づいて指示を行なうように適合したユーザインターフェースを含むことができる。ワイヤレス検知デバイスは、別のデバイスに送信されるデータを提供するように適合したセンサを含むことができる。
【００３６】
ワイヤレスデバイスは、任意の適切なワイヤレス通信技術に基づく、あるいは任意の適切なワイヤレス通信技術をサポートする1つまたは複数のワイヤレス通信リンクを介して通信してもよい。たとえば、いくつかの態様では、ワイヤレスデバイスはネットワークと関連していてもよい。いくつかの態様では、ネットワークは、ボディエリアネットワークまたはパーソナルエリアネットワーク(たとえば、超広帯域ネットワーク)を備えてもよい。いくつかの態様では、ネットワークは、ローカルエリアネットワークまたはワイドエリアネットワークを備えてもよい。ワイヤレスデバイスは、様々なワイヤレス通信技術、プロトコル、または、たとえばCDMA、TDMA、OFDM、OFDMA、WiMAX、およびWi-Fiなどの規格のうちの1つまたは複数をサポート、あるいは使用してもよい。同様に、ワイヤレスデバイスは、様々な対応する変調方式または多重化方式のうちの1つまたは複数をサポート、あるいは使用してもよい。したがって、ワイヤレスデバイスは、上記または他のワイヤレス通信技術を使用して1つまたは複数のワイヤレス通信リンクを確立し、それを介して通信するために適切なコンポーネント(たとえばエアインターフェース)を含んでもよい。たとえば、デバイスは、ワイヤレス媒体を介した通信を可能にする様々なコンポーネント(たとえば、信号生成器および信号プロセッサ)を含み得る、関連する送信機および受信機のコンポーネント(たとえば、送信機および受信機)を有するワイヤレス送受信機を備えてもよい。
【００３７】
本明細書の教示は、様々な装置(たとえば、デバイス)に組み込まれ得る(たとえば、その装置内に実装され、またはその装置によって実行され得る)。たとえば、本明細書で教示する1つまたは複数の態様は、電話(たとえば、携帯電話)、携帯情報端末(「PDA」)、娯楽デバイス(たとえば、音楽デバイスまたはビデオデバイス)、ヘッドセット(たとえば、ヘッドフォン、イヤホンなど)、マイクロフォン、医療用デバイス(たとえば、生体センサ、心拍数モニタ、歩数計、EKGデバイスなど)、ユーザI/Oデバイス(たとえば、時計、遠隔制御装置、ライトスイッチ、キーボード、マウスなど)、タイヤ圧モニタ、コンピュータ、ポイントオブセールデバイス、娯楽デバイス、補聴器、セットトップボックス、または任意の他の適切なデバイスに組み込まれ得る。
【００３８】
これらのデバイスは、様々な電力要件およびデータ要件を有し得る。いくつかの態様では、本明細書の教示は、(たとえば、インパルスベースの信号方式および低デューティサイクルモードの使用によって)低電力用途で使用するために適合していてもよく、また、(たとえば、高帯域パルスの使用によって)比較的高いデータレートを含む様々なデータレートをサポートしてもよい。
【００３９】
いくつかの態様では、ワイヤレスデバイスは、通信システムのためのアクセスデバイス(たとえば、Wi-Fiアクセスポイント)を備えてもよい。たとえば、そのようなアクセスデバイスは、有線またはワイヤレスの通信リンクを介した別のネットワーク(たとえば、インターネットまたはセルラーネットワークなどのワイドエリアネットワーク)への接続性を提供してもよい。したがって、アクセスデバイスは、別のデバイス(たとえば、Wi-Fi局)が他のネットワークまたは何らかの他の機能にアクセスすることを可能にし得る。さらに、デバイスのうちの1つまたは両方はポータブルであってもよく、または場合によっては、相対的に非ポータブルであってもよいことを理解されたい。
【００４０】
情報および信号は、様々な異なる技術および技法における任意のものを用いて表され得ることが、当業者には理解されよう。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【００４１】
さらに、本明細書で開示した実施形態に関して説明した様々な例示的な論理ブロック、モジュール、回路、およびアルゴリズムステップは、電子ハードウェア、コンピュータソフトウェア、または両方の組合せとして実装され得ることが当業者には理解されよう。ハードウェアおよびソフトウェアのこの互換性を明確に示すために、様々な例示的コンポーネント、ブロック、モジュール、回路、およびステップが、それらの機能に関して上記で全体的に説明されている。そのような機能をハードウェアとして実装するか、ソフトウェアとして実装するかは、特定の用途および全体的なシステムに課される設計制約に依存する。当業者は、説明した機能を特定の用途ごとに様々な方法で実施することができるが、そのような実施の決定は、本発明の範囲からの逸脱を生じさせるものと解釈すべきではない。
【００４２】
本明細書で開示する実施形態に関して説明する様々な例示的な論理ブロック、モジュール、および回路は、汎用プロセッサ、デジタルシグナルプロセッサ(DSP)、特定用途向け集積回路(ASIC)、フィールドプログラマブルゲートアレイ(FPGA)もしくは他のプログラマブル論理デバイス、ディスクリートゲートもしくはトランジスタ論理、ディスクリートのハードウェアコンポーネント、または、本明細書で説明する機能を実行するように設計されたそれらの任意の組合せで、実装または実行することができる。汎用プロセッサは、マイクロプロセッサであり得るが、代替として、任意の従来のプロセッサ、コントローラ、マイクロコントローラ、または状態機械でもよい。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、あるいは任意の他のそのような構成として実装され得る。
【００４３】
本明細書で開示される実施形態に関して説明される方法またはアルゴリズムのステップは、直接ハードウェアで実施されるか、プロセッサによって実行されるソフトウェアモジュールで実施されるか、またはその2つの組合せで実施され得る。ソフトウェアモジュールは、RAMメモリ、フラッシュメモリ、ROMメモリ、EPROMメモリ、EEPROMメモリ、レジスタ、ハードディスク、取外し可能ディスク、CD-ROM、または当技術分野で知られている任意の他の形態の記憶媒体中にあってもよい。例示的な記憶媒体は、プロセッサが記憶媒体から情報を読み取り、記憶媒体に情報を書き込むことができるように、プロセッサに接続される。代替として、記憶媒体はプロセッサと一体であり得る。プロセッサおよび記憶媒体はASICの中にあってもよい。ASICはユーザ端末の中にあってもよい。代替として、プロセッサおよび記憶媒体は、ユーザ端末の中にディスクリートコンポーネントとしてあってもよい。
【００４４】
1つまたは複数の例示的な実施形態では、説明した機能はハードウェア、ソフトウェア、ファームウェア、またはそれらの任意の組合せで実装され得る。コンピュータプログラム製品としてソフトウェア中で実装した場合、機能は、1つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態の所望のプログラムコードを搬送または記憶するために使用でき、コンピュータによってアクセスできる、任意の他の媒体を含み得る。また、いかなる接続もコンピュータ可読媒体と適切に呼ばれる。たとえば、ソフトウェアが同軸ケーブル、光ファイバケーブル、ツイストペア、デジタル加入者回線(DSL)、または、赤外線、無線、およびマイクロ波などのワイヤレス技術を使用してウェブサイト、サーバ、または他のリモートソースから送信される場合、同軸ケーブル、光ファイバケーブル、ツイストペア、DSL、または、赤外線、無線、およびマイクロ波などのワイヤレス技術は媒体の定義内に含まれる。本明細書で使用する場合、ディスク(disk)およびディスク(disc)は、コンパクトディスク(CD)、レーザディスク、光ディスク、デジタル多用途ディスク(DVD)、フレキシブルディスク、およびブルーレイディスクを含み、このうち、ディスク(disk)は、通常、磁気的にデータを再生し、ディスク(disc)は、レーザで光学的にデータを再生する。上記の組合せもコンピュータ可読媒体の範囲内に含めるべきである。
【００４５】
開示される実施形態の上記の説明は、いかなる当業者も本発明を製造または使用できるようにするために提供される。これらの実施形態への様々な変更が当業者には容易に明らかになることになり、本明細書に定義する一般原理は、本発明の趣旨または範囲を逸脱することなしに他の実施形態に適用され得る。したがって、本発明は、本明細書で示された実施形態に限定されるものではなく、本明細書で開示された原理および新規性のある特徴と矛盾することのない最大の範囲を与えられるものである。
【符号の説明】
【００４６】
100  システム
102  車両ユーザ
104  車両
106  駐車スペース
110  ヒッチポスト装置
112  表示デバイス
114  ユーザ入力デバイス
120  車両検出器
200  コンピュータ
210  プロセッサ
220  メモリ
221  信号
312  ランダムPIN
314  クレジットカードまたはデビットカード
316  同期信号
317  モバイルデバイス
322  パッシブ車両検出器
324  アクティブ車両検出器
330  通知アクション
334  警察当局
336  ゲート
【図１】
2013541455.tif 000003
【図２】
2013541455.tif 000004
【図３】
2013541455.tif 000005
【図４】
2013541455.tif 000006
【国際調査報告】
2013541455.tif 000007
2013541455.tif 000008